(57)【要約】【課題】  子守帯装着時に肩帯がずれず、支持安定性を向上させる子守帯の提供。【解決手段】  乳幼児の背中及び臀部を支持するための可撓性材料からなる支持部材と、該支持部材の乳幼児の首部分付近を支持する部分の左右側縁から延出する一対の肩帯と、該一対の肩帯途中部にそれぞれ設けられる第１固定具と、該第１固定具同士を連結する帯状の横断帯からなることを特徴とする子守帯である【選択図】  図１
2006075441.tif 000002
【特許請求の範囲】
【請求項１】
乳幼児の背中及び臀部を支持するための可撓性材料からなる支持部材と、
該支持部材の乳幼児の首部分付近を支持する部分の左右側縁から延出する一対の肩帯と、
該一対の肩帯途中部にそれぞれ設けられる第１固定具と、
該第１固定具同士を連結する帯状の横断帯からなることを特徴とする子守帯。
【請求項２】
乳幼児の背中及び臀部を支持するための可撓性材料からなる支持部材と、
該支持部材の乳幼児の首部分付近を支持する部分の左右側縁から延出する一対の肩帯と、
前記一対の肩帯各端部付近に配設される第２固定具と、
前記第２固定具同士を連結する帯状の横断帯からなることを特徴とする子守帯。
【請求項３】
乳幼児の背中及び臀部を支持するための可撓性材料からなる支持部材と、
該支持部材の乳幼児の首部分付近を支持する部分の左右側縁から延出する一対の肩帯と、
該一対の肩帯途中部にそれぞれ設けられる第１固定具と、
前記一対の肩帯各端部付近に配設される第２固定具と、
前記横断帯が前記第１固定具同士若しくは前記第２固定具同士を連結する帯状の横断帯からなることを特徴とする子守帯。
【請求項４】
前記肩帯端部から延出する腰帯と、
前記支持部材下端の左右縁に配設されるとともに、前記腰帯が挿通する輪具を備えることを特徴とする請求項１乃至３いずれかに記載の子守帯。
【請求項５】
前記腰帯途中部に該腰帯を着脱自在に連結可能な連結具が配設され、
該連結具が前記腰帯上を移動可能に固定されることを特徴とする請求項４記載の子守帯。
【発明の詳細な説明】
【技術分野】
【０００１】
本発明は、乳幼児を支持したまま使用者の歩行動作を可能とするための子守帯に関し、より詳しくは、子守帯装着時に肩帯がずれず、支持安定性を向上させる子守帯に関する。
【背景技術】
【０００２】
乳幼児の育成の場において、育成者は乳幼児から片時も目を離すことができない。したがって、例えば、育成者が買い物に行くときには、乳幼児とともに出かけることが通常である。乳幼児とともに行動するための育成用具として、子守帯や車輪付の乳幼児用カートが広く普及している。
特に、子守帯は従来から用いられている育成用具であり、カートと比して場所を取らず、また段差のあるところでも問題なく移動可能であるという利点を有する。
【０００３】
子守帯の使用形態は、背負い（おんぶ）と前抱き（抱っこ）の２つに大別できる。特許文献１には、これら両使用形態に対応可能な子守帯が開示されている。図８は、特許文献１に開示される子守帯の概略図を示す。
図８に示される子守帯（Ｂ）は、乳幼児の背中及び臀部を支持する支持部材（Ｓ）を備える。支持部材（Ｓ）の乳幼児支持面側中央部付近から肩帯（Ｔ）が延出している。肩帯（Ｔ）は、子守帯装着者の肩部上を通り、子守帯（Ｂ）の下方への落下を防止する。子守帯（Ｂ）端部にはバックル（Ｕ）が配設されている。
また子守帯（Ｂ）下方には子守帯装着者の腰部に巻かれる腰帯（Ｗ）が配設されている。腰帯（Ｗ）端部はバックル（Ｕ）と接続する。左右の肩帯（Ｔ）端部に配設される一対のバックル（Ｕ）同士が接続することにより、子守帯（Ｂ）は装着者に装着されることとなる。
【０００４】
【特許文献１】特開平９−２８５１８号公報
【発明の開示】
【発明が解決しようとする課題】
【０００５】
図８に示すような子守帯は、乳幼児を支持している間に、左側に配設される肩帯（Ｔ）が左方にずれ、右側に配設される肩帯（Ｔ）が右方にずれる結果、肩帯（Ｔ）が装着者の肩部から外れやすいという課題を有する。このため装着者は肩帯（Ｔ）の位置がずれるたび逐次肩帯（Ｔ）の位置を直すものとなり、非常に煩わしい作業を強いられることとなる。
このような課題を解決するための手段として、左右に配設される肩帯（Ｔ）をＸ字状に交差させることも考えられる。Ｘ字状に肩帯（Ｔ）を交差させる使用形態において、背負いの支持形態の場合には、装着者の胸部をＸ字状に交差した肩帯（Ｔ）が圧迫するものとなり、そのような子守帯（Ｂ）を装着した状態での動作は装着者の身体に大きな負担をかけるものとなる。更には、子守帯（Ｂ）装着者の多くは授乳期にある女性であり、そのような胸部への負担は極めて大きく、装着時の快適性が非常に悪いものである。
一方、前抱きの使用形態の場合、肩帯（Ｔ）が後身に現れ、肩帯（Ｔ）を背中側で交差させなければならず、その装着性は著しく悪化する。
本発明は上記実情を鑑みてなされたものであって、子守帯装着時に肩帯がずれず、支持安定性を向上させる子守帯を提供することを目的とする。
【課題を解決するための手段】
【０００６】
請求項１記載の発明は、乳幼児の背中及び臀部を支持するための可撓性材料からなる支持部材と、該支持部材の乳幼児の首部分付近を支持する部分の左右側縁から延出する一対の肩帯と、該一対の肩帯途中部にそれぞれ設けられる第１固定具と、該第１固定具同士を連結する帯状の横断帯からなることを特徴とする子守帯である。
請求項２記載の発明は、乳幼児の背中及び臀部を支持するための可撓性材料からなる支持部材と、該支持部材の乳幼児の首部分付近を支持する部分の左右側縁から延出する一対の肩帯と、前記一対の肩帯各端部付近に配設される第２固定具と、前記第２固定具同士を連結する帯状の横断帯からなることを特徴とする子守帯である。
請求項３記載の発明は、乳幼児の背中及び臀部を支持するための可撓性材料からなる支持部材と、該支持部材の乳幼児の首部分付近を支持する部分の左右側縁から延出する一対の肩帯と、該一対の肩帯途中部にそれぞれ設けられる第１固定具と、前記一対の肩帯各端部付近に配設される第２固定具と、前記横断帯が前記第１固定具同士若しくは前記第２固定具同士を連結する帯状の横断帯からなることを特徴とする子守帯である。
請求項４記載の発明は、前記肩帯端部から延出する腰帯と、前記支持部材下端の左右縁に配設されるとともに、前記腰帯が挿通する輪具を備えることを特徴とする請求項１又は３いずれかに記載の子守帯である。
請求項５記載の発明は、前記腰帯途中部に該腰帯を着脱自在に連結可能な連結具が配設され、該連結具が前記腰帯上を移動可能に固定されることを特徴とする請求項４記載の子守帯である。
【発明の効果】
【０００７】
請求項１記載の発明によれば、横断帯が一対の肩帯の位置ずれを防止する。また背負いの支持形態において、支持部材の乳幼児の背中を支える部分が略垂直になるので、乳幼児を背負うのに好適な子守帯となる。更に、このとき横断帯が装着者の首部後ろ側を通り、装着者の肩後方において確実に肩帯の位置ずれを防止することとなるので、装着者の背後で乳幼児が動いても、肩帯がずれることがない。また、肩帯が装着者の胸部を圧迫することがないので、特に授乳期にある女性に好ましい子守帯となる。
請求項２記載の発明によれば、横断帯が一対の肩帯の位置ずれを防止する。また前抱きの支持形態において、支持部材の乳幼児の背中を支える部分が傾斜するので、乳幼児を前抱きするのに好適な子守帯となる。更に、このとき横断帯が装着者の首部後ろ側を通り、横断帯が装着者の首後面に掛かるので、装着者は乳幼児の体重を肩部だけでなく首部でも支えることが可能となる。
請求項３記載の発明によれば、背負い及び前抱きの使用形態を装着者の所望に応じて選択できる。また両使用形態において、横断帯が肩帯の位置ずれを防止するため、装着者が肩帯の位置直しをする必要がない。
請求項４記載の発明によれば、腰帯の一部を肩帯の延長部分として利用することが可能となり、背負い及び前抱きの両支持形態における肩帯の必要量を自在に調整が可能となり、子守帯の装着性が向上する。
請求項５記載の発明によれば、腰帯の長さが自在に調整可能となる。
【発明を実施するための最良の形態】
【０００８】
以下、本発明に係る子守帯について、図面を参照しつつ説明する。図１は、本発明に係る子守帯を展開し、該展開状態を正面側から見た図である。
本発明に係る子守帯（１）は、支持部材（２）を有する。支持部材（２）は主に３つの領域から構成され、上から頭部支持部（２１）、背部支持部（２２）、クロッチ部（２３）とされる。
頭部支持部（２１）は上方に湾曲縁を有する略逆Ｕ字形状の輪郭を備える。乳幼児の後頭部が当接する頭部支持部（２１）の面にはクッションが配され、該クッションは乳幼児の後頭部を保護する。クッション層背面側には比較的硬度を有する平板状部材が配設され、頭部支持部（２１）の屈曲を防止し、乳幼児の頭部が後ろ側に倒れることを防止している。頭部支持部（２１）下縁は背部支持部（２２）上縁に接合している。該接合方法は、特に限定されるものではなく、縫着、ビス止め等各種の接合方法が採用可能である。
【０００９】
背部支持部（２２）及びクロッチ部（２３）は布状部材から形成され、支持される乳幼児の背中から臀部にかけての輪郭に応じて変形可能なように高い可撓性を有する。背部支持部（２２）及びクロッチ部（２３）を形成する材料及び構造は、高い可撓性を有するものならば特に限定されるものではなく、例えば複数の布地層から構成されてもよく、更に複数の布地層間にクッション材を配してもよい。
クロッチ部（２３）には一対の開口部（２３１）が形成され、該開口部（２３１）に乳幼児の脚部が挿入される。クロッチ部（２３）は下方に向けて左右に広がっており、これにより、乳幼児の臀部を全体的に覆うことを可能とし、乳幼児の支持を確実なものとする。尚、開口部（２３１）の周縁長さは、乳幼児の脚部付け根の平均周長さと略等しく形成されることが好ましい。また、開口部（２３１）周縁にゴム等の弾性体を配し、該開口部（２３１）周縁を伸縮自在に形成してもよい。
クロッチ部（２３）下縁に沿って、クロッチ部（２３）左右端から延設する腰止め部（２３２）が延設している。該腰止め部（２３２）は後述する腰帯とともに装着者の腰部に巻かれ、子守帯（１）を装着者の腰部で固定する役割を担う。また、該腰止め部（２３２）の各端部には略Ｄ字形状の輪具（２３３）が配設され、後述する腰帯が輪具（２３３）を通過する。
【００１０】
子守帯（１）は更に、肩帯（３）を有する。肩帯（３）は、上述の頭部支持部（２１）と背部支持部（２２）との接続部を通過し、子守帯（１）左右に帯状に延設している。
頭部支持部（２１）と重なり合う肩帯（３）の部分は、頭部支持部（２１）背面側を通る部分と頭部支持部（２１）正面側を通る部分に分かれ、頭部支持部（２１）下縁を正面側と背面側とで挟持する。該背面側を通過する部分は支持部材（２）の背部支持部上縁と一体に形成されている。また、この背面側を通過する部分には、比較的厚いクッション材が配設され、頭部支持部（２１）との接合強度を高めるとともに、頭部支持部（２１）の傾斜を抑制し、乳幼児の頭部が後方へ倒れることを防止する。更に頭部支持部（２１）の正面側を通過する部分が、頭部支持部（２１）下縁を軸とする回転モーメントの発生を防止するので、確実に乳幼児の頭部が後方へ倒れることを防止することとなる。頭部支持部（２１）と重なり合う肩帯（３）の部分には、乳幼児の首後面が当接することとなる。
子守帯（１）左右に延設する肩帯（３）の部分には、比較的厚いクッション材が芯材として用いられ、子守帯（１）装着時に肩帯（３）が装着者の肩部に食い込むことを防止し、装着時の快適性を向上させている。
【００１１】
図１に示す例において、子守帯（１）左右に延設する肩帯（３）の部分において、該延出部の略中間位置において、左右一対に第１固定具（３１）が上方に突出している。また肩帯（３）左右端部付近に一対に第２固定具（３２）が突出している。第１固定具（３１）及び第２固定具（３２）はともに略Ｄ字形状をした環状の輪具である。尚、第１固定具（３１）及び第２固定具（３２）と肩帯（３）の取付に関しては、肩帯（３）の背面側に第１及び第２固定具（３１，３２）が取付けられることが好ましい。背面側に取付けることによって、第１及び第２固定具（３１，３２）の取付部分が装着者と当接する側と反対側に現れ、該取付部分が装着者身体に食い込むことを防止でき、装着時の快適性の低下を防止できる。
【００１２】
肩帯（３）左右端部からは更に腰帯（４）が延出している。腰帯（４）各端部には連結具（４１）が配設される。図１において左側に配設される連結具（４１）は雌型連結具（４１ａ）であり、右側に配設される連結具（４１）は雄型連結具（４１ｂ）である。雄型連結具（４１ｂ）が雌型連結具（４１ａ）に差し込まれることで、連結具（４１ａ、４１ｂ）が互いに連結固定される。
尚、連結具（４１）は腰止め部（２３２）左右端部に取り付けられた輪具（２３３）を挿通可能な大きさとされている。
【００１３】
図２及び図３は、本発明に係る子守帯（１）を正面から見た図である。
図２及び図３に示す例において、連結具（４１）及び連結具（４１）と繋がる腰帯（４）は輪具（２３３）内部に通された状態であり、雌型連結具（４１ａ）と雄型連結具（４１ｂ）は互いに連結された状態である。また、腰帯（４）と肩帯（３）との接続部分は輪具（２３３）付近に位置するものとなる。腰帯（４）と肩帯（３）との接続部分が輪具（２３３）と一致している状態において、支持部材（２）下縁と腰帯（４）とで形成される環状部分長さは、装着者（例えば、成人女性或いは成人男性）の腰周りの平均周長さと等しくされることが好ましい。この環状部分は装着者の腰に巻き付けられ、子守帯（１）を装着者の身体上で安定させる。
【００１４】
図４は、雄型連結具（４１ｂ）の拡大断面図である。
雄型連結具（４１）の腰帯（４）との接続部断面は、腰帯（４）が巻き付けられる断面部分（４１２）を備え、図４において腰帯（４）は下方から上方に通された後、該断面部分（４１２）に巻きつけられ、更に上方から下方に通されている。このように、腰帯（４）が断面部分（４１２）で折り返された後、腰帯（４）の端部は略一文字状の開口部を有する輪具（４１１）でまとめられる。
このような構造において、腰帯（４）の折り返し量を調整することによって、子守帯（１）装着時における腰帯（４）の長さを調節可能となる。即ち、折り返し量を多くすれば、腰帯（４）の有効長さは短くなり、折り返し量を少なくすれば、腰帯（４）の有効長さは長くなる。また、子守帯（４）装着時においては、腰帯（４）に加わる張力によって、雄型連結具（４１ｂ）が腰帯（４）上に固定されるものとなり、装着時に腰帯（４）が緩むことがない。
同一の構造が雌型連結具（４１ａ）にも採用されている。
このような構造を備える連結具（４１）を用いて、腰帯（４）の長さを粗調整可能及び微調整可能であり、また輪具（２３３）を介して腰帯（４）を巻きつけることにより、腰帯（４）の輪具（２３３）からの長さが自然に好適な長さとなり、好適な装着状況を実現可能となる。
【００１５】
図１乃至図３に示す如く、肩帯（３）を展開状態（図１）から腰帯（４）を輪具（２３３）に通し、正面側にもってくると、図１において背面側にあった第１固定具（３１）並びに第２固定具（３２）が正面側に現れる。このとき第１固定具（３１）は第２固定具（３２）に対し上方に位置するものとなる。
図２に示す状態において、左右の第１固定具（３１）をそれぞれ横断帯（５）が連結している。横断帯（５）の長さは肩帯（３）が延設する部分の支持部材（２）の幅と略等しく形成されている。更に、図１に示す如く、肩帯（３）が延設する部分の支持部材（２）の幅と、肩帯（３）と支持部材（２）との接続部分から第１固定具（３１）までの長さは略等しい長さとされ、一対の肩帯（３）、横断帯（５）及び支持部材（２）で囲まれる領域は略正方形とされる。
図２に示す状態は、乳幼児を背負う装着形態に好適に使用可能である。背負いの装着状態において、乳幼児の頭部は、一対の肩帯（３）、横断帯（５）及び支持部材（２）で囲まれる略正方形領域内に挿入される。該正方形領域の一辺の長さは、乳幼児の頭部の平均直径と等しいか若干長く形成されることが好ましい。これにより、背負いの装着形態が容易となる。尚、このとき乳幼児の後頭部下方、即ち首後面は、支持部材（２）の頭部支持部（２１）を横切る肩帯（３）上に位置する。また、この背負いの状態において、横断帯（５）は装着者の首後面に位置するものとなる。
【００１６】
図３は、横断帯（５）を左右の第２固定具（３２）に取り付け、第２固定具（３２）をそれぞれ連結した状態である。図３に示す状態は、乳幼児を前抱きにする装着形態に好適に使用可能である。前抱きにした状態で、横断帯（５）は装着者の首後面に掛かり、子守帯（１）は主に装着者の肩及び首で支持されるものとなる。
上述の如く、背負い及び前抱きの両装着形態において、横断帯（５）は装着者の首後面に沿って横切るものとなる。横断帯（５）は左右の肩帯（３）を連結し、肩帯（３）の間隔が広がることを防止する。即ち、横断帯（５）が装着者の首後面において肩帯（３）同士の開きを防ぐので、子守帯（１）装着時に肩帯（３）が装着者の肩から外れることがなく、装着者が肩帯（３）の位置のずれを直す必要が皆無となる。
【００１７】
図５は、横断帯（５）の連結部分を示す図である。
横断帯（５）は全体的に筒状のクッション材（５１）で覆われている。これにより子守帯（１）の装着時の快適性が向上される。クッション材（５１）内部には、両端に連結構造（５２）が配されたワイヤ（５３）が配設される。
連結構造（５２）は、カラビナ構造であり、略Ｊ字形状の爪部（５２１）と該爪部（５２１）基端部と接続する回動部（５２２）からなる。回動部（５２２）基端部は爪部（５２１）基端部と回動可能に接続している。該回動部（５２２）基端部には、ばね材が配設され、回動部（５２２）他端先端部が爪部（５２１）先端部に向かって付勢されるようにしている。
この連結構造（５２）により、横断帯（５）を肩帯（３）の固定具（３１，３２）に取付けるときに片手で容易に取付けられるものとなる。
【００１８】
図６及び図７は、子守帯（１）の装着形態を示す図である。図６は背負いの装着形態を示す。
図６に示す如く、横断帯（５）は、第１固定具（３１）と連結し、子守帯（１）の支持部材（２）は装着者（Ｐ）の背面に対して略平行の状態となり、主に乳幼児（Ｉ）の背面及び臀部を支持している。支持部材（２）の頭部支持部（２１）は比較的剛性の高い材料から形成されるので、乳幼児（Ｉ）の頭部が大きく動いても、折れ曲がることなく確実に乳幼児（Ｉ）の頭部を支持する。
支持部材（２）下端縁は、装着者（Ｐ）腰部腹側に巻きつく腰帯（４）によって、輪具（２３３）を介して張力を伝達され、装着者（Ｐ）腰部背側に巻き付けられる。これにより、支持部材（２）のクロッチ部（２３）は乳幼児（Ｉ）の臀部全体を包み込むとともに支持するものとなる。
【００１９】
肩帯（３）は支持部材（２）の頭部支持部（２１）下端付近から延出し、乳幼児（Ｉ）肩上面及び装着者（Ｐ）肩上面を通過し、装着者（Ｐ）前身に沿って下方に延び、輪具（２３３）付近で腰帯（４）と接続している。肩帯（３）は、腰帯（４）から輪具（２３３）を介してもたらされる張力によって、乳幼児（Ｉ）の首後面を装着者（Ｐ）側へ押付ける。これにより、支持部材（２）の背部支持部（２２）は乳幼児（Ｉ）の背中を装着者（Ｐ）側に押付けるものとなり、乳幼児（Ｉ）の身体部分は支持部材（２）と装着者（Ｐ）の背中の間で安定して挟持されるものとなる。
横断帯（５）は、上述の如く、装着者（Ｐ）の首後面を通過し、左右の肩帯（３）の子守帯（１）装着時における左右方向への移動を防ぐ。例え、乳幼児（Ｉ）が装着者（Ｐ）の背後で動いたとしても、肩帯（３）の横位置は横断帯（５）によって固定されるので、肩帯（３）が装着者（Ｐ）の肩から外れることがない。また、横断帯（５）による肩帯（３）の固定が装着者（Ｐ）の肩部近傍の首後面において行われるので、肩帯（３）が装着者（Ｐ）の肩から外れることに対する防止機能は効果的に且つ確実に発揮されるものとなる。
【００２０】
図７は、前抱きの装着形態を示す。
図７に示す状態において、横断帯（５）は、第２固定具（３２）と連結する。第２固定具（３２）から支持部材（２）までの肩帯（３）の距離は、第１固定具（３１）からの距離よりも長いので、図６に示す背負いの形態よりも、支持部材（２）は装着者（Ｐ）に対して傾斜した状態となる。したがって、乳幼児（Ｉ）の顔が装着者（Ｐ）の身体から距離を置いて存在することとなり、装着者（Ｐ）は乳幼児（Ｉ）の表情を観察可能となる。
腰帯（４）は装着者（Ｐ）の腰部背側を、支持部材（２）下縁は装着者（Ｐ）の腰部腹側に巻きつくので、乳幼児（Ｉ）の臀部付近は、支持部材（２）と装着者（Ｐ）の身体との間で安定して挟持されるものとなる。
【００２１】
図７に示す状態においても、横断帯（５）は装着者（Ｐ）の首後面を通過するとともに、肩帯（３）の横方向への位置ずれを防止する。上述の如く、前抱きの状態においては、乳幼児（Ｉ）の体重により、前方へ荷重が加わる。装着者（Ｐ）背中に沿う肩帯（３）の部分に加えて横断帯（５）がこの荷重を支持するので、装着者（Ｐ）は楽に乳幼児（Ｉ）を前抱き（抱っこ）することが可能となる。更に、この場合においても、横断帯（５）が装着者（Ｐ）の肩部付近の首後面を通過し、肩帯（３）を連結するので、肩帯（３）の横ずれ防止機能が確実且つ効果的に発揮されるものとなる。
【００２２】
このように、本発明の子守帯（１）は肩帯（３）を交差させず、且つ装着者（Ｐ）の肩部を通る肩帯（３）が横ずれすることがなく装着可能である。したがって、本発明の子守帯（１）は、装着者（Ｐ）の胸部を圧迫することなく、且つ装着時の肩帯の位置直し作業を要することがない。故に、特に授乳期にある女性が使用するのに非常に適した特徴を有するものである。
更には、装着者（Ｐ）の選択によって、前抱き及び背負いの装着形態を好適に実現可能である。
【産業上の利用可能性】
【００２３】
本発明は、特に授乳期にある女性が乳幼児を背負い或いは前抱きするための子守帯に好適に利用可能である。
【図面の簡単な説明】
【００２４】
【図１】本発明に係る子守帯の展開図である。
【図２】本発明に係る子守帯の正面図である。
【図３】本発明に係る子守帯の正面図である。
【図４】本発明に係る子守帯の連結具を示す図である。
【図５】本発明に係る子守帯の横断帯連結構造を示す図である。
【図６】本発明に係る子守帯の装着形態を示す図である。
【図７】本発明に係る子守帯の装着形態を示す図である。
【図８】従来の子守帯を示す図である。
【符号の説明】
【００２５】
１・・・・・子守帯
２・・・・・支持部材
２３３・・・輪具
３・・・・・肩帯
３１・・・・第１固定具
３２・・・・第２固定具
４・・・・・腰帯
４１・・・・連結具
【図１】
2006075441.tif 000003
【図２】
2006075441.tif 000004
【図３】
2006075441.tif 000005
【図４】
2006075441.tif 000006
【図５】
2006075441.tif 000007
【図６】
2006075441.tif 000008
【図７】
2006075441.tif 000009
【図８】
2006075441.tif 000010